(57)【要約】【課題】分解・組み立てが容易に行われるディスクアセンブリを備える加湿装置を提供する。【解決手段】本体と、水を収容する水槽部と、前記水槽部に一部が配置された状態で回転するディスクアセンブリと、前記ディスクアセンブリに空気を送風する送風装置とを含み、前記ディスクアセンブリは、少なくとも一つのディスク部材と、前記少なくとも一つのディスク部材の第１の側に配置される第１のクランプと、前記少なくとも一つのディスク部材の第２の側に配置される第２のクランプとを含み、前記少なくとも一つのディスク部材は、その円周上に凹状に形成される少なくとも一つの溝部を含むことを特徴とする加湿装置を構成する。【選択図】図４
2011047636.tif 000002
【特許請求の範囲】
【請求項１】
本体と、
水を収容する水槽部と、
前記水槽部に一部が配置された状態で回転するディスクアセンブリと、
前記ディスクアセンブリに空気を送風する送風装置と、を含み、
前記ディスクアセンブリは、少なくとも一つのディスク部材と、前記少なくとも一つのディスク部材の第１の側に配置される第１のクランプと、前記少なくとも一つのディスク部材の第２の側に配置される第２のクランプと、を含み、
前記少なくとも一つのディスク部材は、その円周上に凹状に形成される少なくとも一つの溝部を含むことを特徴とする加湿装置。
【請求項２】
前記第１のクランプは、前記少なくとも一つの溝部の形状に対応するように形成される少なくとも一つの溝結合部を含むことを特徴とする、請求項１に記載の加湿装置。
【請求項３】
ねじをさらに含み、
前記少なくとも一つの溝結合部は、前記少なくとも一つのディスク部材の積層方向に突出形成されるディスク部材固定部と、ねじが結合されるように前記ディスク部材固定部の内部に形成されるねじ結合部と、を含むことを特徴とする、請求項２に記載の加湿装置。
【請求項４】
前記第２のクランプは、前記ねじ結合部の位置に対応するように形成される少なくとも一つのねじ穴を含み、
前記ねじは、前記ねじ穴を貫通して前記ねじ結合部に結合されることを特徴とする、請求項３に記載の加湿装置。
【請求項５】
前記少なくとも一つのディスク部材は、その表面上の一箇所に形成される通孔をさらに含み、
前記第１のクランプは、前記少なくとも一つのディスク部材の積層方向に突出形成され、前記通孔を貫通する通孔結合部を含むことを特徴とする、請求項１に記載の加湿装置。
【請求項６】
前記第１のクランプは、前記通孔結合部の内部に陷沒形成される結合ロッド収容部をさらに含み、
前記第２のクランプは、前記結合ロッド収容部に挿入される結合ロッドを含むことを特徴とする、請求項５に記載の加湿装置。
【請求項７】
前記結合ロッドは、その端部に前記結合ロッド収容部に挿入されるテーパー部を含むことを特徴とする、請求項６に記載の加湿装置。
【請求項８】
積層によって組み立てられる複数のディスク部材と、
前記複数のディスク部材の第１及び第２の側にそれぞれ配置され、前記複数のディスク部材を固定する第１のクランプ及び第２のクランプと、を含み、
前記複数のディスク部材は、前記第１のクランプに結合されるように外側円周上に陷沒形成される少なくとも一つの溝部を含み、前記第１のクランプは、前記少なくとも一つの溝部に挿入され、前記複数のディスク部材の移動を防止する少なくとも一つの溝結合部を含むことを特徴とする加湿装置用ディスクアセンブリ。
【請求項９】
複数のねじをさらに含み、
前記少なくとも一つの溝結合部は、前記複数のねじがそれぞれ結合されるように形成される少なくとも一つのねじ結合部を含み、
前記第２のクランプは、前記ねじ結合部の位置に対応するように形成されるねじ穴を含み、
前記複数のディスク部材は、前記少なくとも一つのねじ穴を貫通して前記ねじ結合部に前記ねじが結合されることによって、前記第１のクランプ及び第２のクランプと結合されることを特徴とする、請求項８に記載の加湿装置用ディスクアセンブリ。
【請求項１０】
前記複数のディスク部材は、その表面上に形成された通孔を含み、
前記第１のクランプは、前記通孔を貫通して突出形成される通孔結合部と、前記通孔結合部の内部に陷沒形成される結合ロッド収容部と、を含み、
前記第２のクランプは、前記結合ロッド収容部に挿入される結合ロッドを含むことを特徴とする、請求項９に記載の加湿装置用ディスクアセンブリ。
【発明の詳細な説明】
【技術分野】
【０００１】
本発明は、ディスクアセンブリを備える気化式加湿装置に関するものである。
【背景技術】
【０００２】
一般に、加湿装置は、室内湿度を適正な水準に維持し、各種の呼吸器疾患を予防するために使用される。
【０００３】
加湿装置は多様な加湿方式で動作するものであり、このように多様な加湿方式で動作する加湿装置のうち、空気が水に浸されたディスクアセンブリを経て排出口を介して外側に排出され、加湿を実現する気化式加湿装置が提案された。
【０００４】
このような加湿装置は、ディスクアセンブリを加湿エレメントとして使用して加湿を実現するが、従来のディスクアセンブリは複雑な構造を有し、ユーザが掃除するとき、分解・組み立てが不便であった。
【０００５】
また、ディスクアセンブリは組み立てのための多くの締結部を有し、加湿装置内の空気の流れが円滑でないという問題があった。
【発明の概要】
【発明が解決しようとする課題】
【０００６】
本発明の一側面は、分解・組み立てが容易に行われるディスクアセンブリを備える加湿装置を提供することにある。
【０００７】
本発明の他の側面は、空気の流れが円滑である加湿装置を提供することにある。
【課題を解決するための手段】
【０００８】
本発明の思想に係る加湿装置は、本体と、水を収容する水槽部と、前記水槽部に一部が配置された状態で回転するディスクアセンブリと、前記ディスクアセンブリに空気を送風する送風装置とを含み、前記ディスクアセンブリは、少なくとも一つのディスク部材と、前記少なくとも一つのディスク部材の第１の側に配置される第１のクランプと、前記少なくとも一つのディスク部材の第２の側に配置される第２のクランプと、を含み、前記少なくとも一つのディスク部材は、その円周上に凹状に形成される少なくとも一つの溝部を含むことを特徴とする。
【０００９】
前記第１のクランプは、前記少なくとも一つの溝部の形状に対応するように形成される少なくとも一つの溝結合部を含むことができる。
【００１０】
ねじをさらに含み、前記少なくとも一つの溝結合部は、前記少なくとも一つのディスク部材の積層方向に突出形成されるディスク部材固定部と、ねじが結合されるように前記ディスク部材固定部の内部に形成されるねじ結合部とを含むことができる。
【００１１】
前記第２のクランプは、前記ねじ結合部の位置に対応するように形成される少なくとも一つのねじ穴を含み、前記ねじは、前記ねじ穴を貫通して前記ねじ結合部に結合される。
【００１２】
前記少なくとも一つのディスク部材は、その表面上の一箇所に形成される通孔をさらに含み、前記第１のクランプは、前記少なくとも一つのディスク部材の積層方向に突出形成され、前記通孔を貫通する通孔結合部を含むことができる。
【００１３】
前記第１のクランプは、前記通孔結合部の内部に陷沒形成される結合ロッド収容部をさらに含み、前記第２のクランプは、前記結合ロッド収容部に挿入される結合ロッドを含むことができる。
【００１４】
前記結合ロッドは、その端部に前記結合ロッド収容部に挿入されるテーパー部を含むことができる。
【００１５】
また、加湿装置用ディスクアセンブリは、積層によって組み立てられる複数のディスク部材と、前記複数のディスク部材の第１及び第２の側にそれぞれ配置され、前記複数のディスク部材を固定する第１のクランプ及び第２のクランプとを含み、前記複数のディスク部材は、前記第１のクランプに結合されるように外側円周上に陷沒形成される少なくとも一つの溝部を含み、前記第１のクランプは、前記少なくとも一つの溝部に挿入され、前記複数のディスク部材の移動を防止する少なくとも一つの溝結合部を含むことを特徴とする。
【００１６】
複数のねじをさらに含み、前記少なくとも一つの溝結合部は、前記複数のねじがそれぞれ結合されるように形成される少なくとも一つのねじ結合部を含み、前記第２のクランプは、前記ねじ結合部の位置に対応するように形成されるねじ穴を含み、前記複数のディスク部材は、前記少なくとも一つのねじ穴を貫通して前記ねじ結合部に前記ねじが結合されることによって、前記第１のクランプ及び第２のクランプと結合される。
【００１７】
前記複数のディスク部材は、その表面上に形成された通孔を含み、前記第１のクランプは、前記通孔を貫通して突出形成される通孔結合部と、前記通孔結合部の内部に陷沒形成される結合ロッド収容部とを含み、前記第２のクランプは、前記結合ロッド収容部に挿入される結合ロッドを含むことができる。
【発明の効果】
【００１８】
本発明の一実施例に係る加湿装置は、ディスクアセンブリの組み立て構造を単純化することによって、ユーザが掃除時にディスクアセンブリの分解・組み立てを容易に行うことができる。
【００１９】
また、ディスクアセンブリの締結部の数を最少化することによって、加湿装置内の空気の流れが円滑になる。
【図面の簡単な説明】
【００２０】
【図１】本発明の一実施例に係る加湿装置の外観を示す斜視図である。
【図２】図１の加湿装置の分解斜視図である。
【図３】本発明の一実施例に係るディスクアセンブリの外観を示す斜視図である。
【図４】図３のディスクアセンブリの分解斜視図である。
【図５】ディスクアセンブリの縦断面図である。
【図６Ａ】ディスク部材の正面図である。
【図６Ｂ】ディスク部材の側面図である。
【図７Ａ】第１のクランプの正面図である。
【図７Ｂ】第１のクランプの側面図である。
【図８Ａ】第２のクランプの正面図である。
【図８Ｂ】第２のクランプの側面図である。
【発明を実施するための形態】
【００２１】
以下では、本発明に係る好適な実施例を添付の図面を参照して詳細に説明する。
【００２２】
図１は、本発明の一実施例に係る加湿装置の外観を示す斜視図で、図２は、図１の加湿装置の分解斜視図である。
【００２３】
図１〜図２に示すように、本発明の一実施例に係る加湿装置は、本体１０と、本体１０の内部に配置され、水を収容する水槽部６０と、水槽部６０に一部が配置された状態で回転するディスクアセンブリ１００と、ディスクアセンブリ１００に空気を送風する送風装置８０とを含む。
【００２４】
本体１０は、加湿装置のフレームを形成するフレーム部２０と、加湿装置の前面外観を形成する前面カバー３０と、加湿装置の後面外観を形成する後面カバー４０と、本体１０上側の空気排出口を形成するグリル部５０とを含む。
【００２５】
フレーム部２０には、ディスクアセンブリ１００、水槽部６０及び送風装置８０を含む各種部品が設置され、フレーム部２０は、加湿装置全体を支持するフレームとしての役割をする。
【００２６】
水槽部６０は水を収容する空間であって、ディスクアセンブリ１００の下側一部が水槽部６０の内部空間Ｓに配置された状態で水に浸される。すなわち、ディスクアセンブリ１００は、水槽部６０に収容された水に浸されるようになる。
【００２７】
ディスクアセンブリ１００は、略リング状を有し、フレーム部２０の一側に設置されたディスクモーター２５によって回転する。ディスクモーター２５は、モーター軸に形成されたモーターギア部２６を介してディスクアセンブリ１００の背面に形成されたディスクギア部１３９（図５を参照）に駆動力を伝達する。
【００２８】
以下、ディスクアセンブリ１００について詳細に説明する。
【００２９】
送風装置８０は、駆動力を提供する送風モーター８２と、送風モーター８２から駆動力を受け、この駆動力を用いて空気の流れを生成する送風ファン８４とを含む。送風ファン８４は、上下方向に冷たい空気を送風するようになる。
【００３０】
フレーム部２０の上側にはヒーター部２７が設置され、このヒーター部２７は、必要に応じて、外部に排出される加湿空気を加熱し、暖かい加湿空気を生成する役割をする。
【００３１】
フレーム部２０の上部両側面には殺菌装置２９がそれぞれ設置され、この殺菌装置２９は、加湿空気内の有害な細菌を撲滅し、加湿装置の外部にきれいな加湿空気を排出する役割をする。
【００３２】
前面カバー３０は、略矩形状を有し、フレーム部２０の前面に結合される。前面カバー３０の表面は、多様な絵や図形などで装飾可能である。さらに、前面カバー３０の上側には、加湿装置の動作を制御するためのコントロールパネル３３が配置される。
【００３３】
コントロールパネル３３は多様なボタンを備えており、ユーザは、これらボタンを用いて加湿装置を操作できるようになる。コントロールパネル３３は、ボタン方式のみならず、タッチ方式で操作されることも可能である。
【００３４】
後面カバー４０は、フレーム部２０の後面に結合され、水タンク４５が収容される空間である水タンク収容部４２を含む。
【００３５】
水タンク収容部４２は、その上部が開口された形態で後面カバー４０の後面から突出形成される。そして、水タンク収容部４２の内部には内側カバー４４が設置され、水タンク収容部４２内の内側カバー４４に水タンク４５が収容される。
【００３６】
水タンク４５は、加湿に必要な水を保存した後、水槽部６０に適正な量の水を供給する役割をし、加湿装置にカセット方式で装着される。水タンク４５が加湿装置に装着されれば、水タンク４５の上部は水タンクカバー４７で覆われるようになる。
【００３７】
水タンク収容部４２の後面内側にはフィルタ４９が設置され、このフィルタ４９は、外部から流入する空気から不純物をろ過する役割をする。
【００３８】
グリル部５０は、本体１０の上側に結合され、空気排出口を形成する。グリル部５０は、本体１０の外側に装着される外側グリル５２と、本体１０の内側に装着される内側グリル５３とを含む。
【００３９】
図３は、本発明の一実施例に係るディスクアセンブリの外観を示す斜視図で、図４は、図３のディスクアセンブリの分解斜視図で、図５は、ディスクアセンブリの縦断面図で、図６Ａは、ディスク部材の正面図で、図６Ｂは、ディスク部材の側面図で、図７Ａは、第１のクランプの正面図で、図７Ｂは、第１のクランプの側面図で、図８Ａは、第２のクランプの正面図で、図８Ｂは、第２のクランプの側面図である。
【００４０】
図３〜図５に示すように、ディスクアセンブリ１００は、積層によって組み立てられる少なくとも一つのディスク部材１１０と、前記ディスク部材１１０の一側に配置される第１のクランプ１３０と、前記ディスク部材１１０の他側に配置される第２のクランプ１６０とを含む。
【００４１】
ディスク部材１１０は、図４、図６Ａ及び図６Ｂに示すように、略リング状を有し、その円周上に凹状に形成される溝部１１１ａ、１１１ｂを含む。
【００４２】
溝部１１１ａ、１１１ｂは、ディスク部材１１０の円周の一部を除去することによって形成される。リング状のディスク部材１１０の外側に溝部１１１ａ、１１１ｂが形成されれば、いくつかのディスク部材１１０が積層されるとき、ディスク部材１１０の積層整列が容易である。そして、第１のクランプ１３０がディスク部材１１０に挿入されるとき、第１のクランプ１３０とディスク部材１１０が精巧な操作なしにも簡便に組み立てられるようになる。
【００４３】
さらに、ディスク部材１１０は、その表面上の一箇所に形成される通孔１１３を含む。 通孔１１３には、後述する第１のクランプ１３０の通孔結合部１３６が挿入される。
【００４４】
第１のクランプ１３０は、図４、図７Ａ及び図７Ｂに示すように、略リング状を有し、溝部１１１ａ、１１１ｂの形状に対応する少なくとも一つの溝結合部１３２ａ、１３２ｂと、通孔１１３に挿入される通孔結合部１３６とを含む。
【００４５】
溝結合部１３２ａ、１３２ｂは、ディスク部材１１０の溝部１１１ａ、１１１ｂに挿入され、ディスクアセンブリ１１０の組み立て形状を維持する役割をし、ディスク部材１１０の積層方向に突出形成されるディスク部材固定部１３３ａ、１３３ｂと、ねじ１７１ａ、１７１ｂが結合されるようにディスク部材固定部１３３ａ、１３３ｂの内部に形成されるねじ結合部１３４ａ、１３４ｂとを含む。
【００４６】
通孔結合部１３６は、ディスク部材１１０の積層方向に突出形成され、通孔１１３に挿入されてディスク部材１１０を固定するようになる。
【００４７】
第１のクランプ１３０は、通孔結合部１３６の内部に陷沒形成される結合ロッド収容部１３７をさらに含む。結合ロッド収容部１３７は、後述する第２のクランプ１６０の結合ロッド１６５が挿入される空間である。
【００４８】
第２のクランプ１６０は、図４、図８Ａ及び図８Ｂに示すように、ディスク部材１１０の溝部１１１ａ、１１１ｂ及び第１のクランプ１３０の溝結合部１３２ａ、１３２ｂに対応する位置に形成されるねじ穴１６２ａ、１６２ｂと、第１のクランプ１３０の結合ロッド収容部１３７に対応する位置に形成される結合ロッド１６５とを含む。
【００４９】
ねじ穴１６２ａ、１６２ｂは、ねじ１７１ａ、１７１ｂを第１のクランプ１３０のねじ結合部１３４ａ、１３４ｂに結合する過程で中間媒介体としての役割をする。
【００５０】
結合ロッド１６５は、結合ロッド収容部１３７に挿入される。ここで、第１のクランプ１３０の通孔結合部１３６がディスク部材１１０の通孔１１３に挿入された状態で、 結合ロッド１６５が結合ロッド収容部１３７に挿入される。
【００５１】
結合ロッド１６５は、その端部にテーパー部１６６を含む。この結合ロッド１６５のテーパー部１６６は、結合ロッド１６５が精巧な操作なしにも結合ロッド収容部１３７に容易に挿入されるようにする。
【００５２】
以下、本発明の一実施例に係るディスクアセンブリ１００の組み立て過程を説明する。
【００５３】
図４を参照すれば、ディスクアセンブリ１００の組み立ては、第１のクランプ１３０、複数のディスク部材１１０及び第２のクランプ１６０を結合することによって容易に行われる。
【００５４】
まず、複数のディスク部材１１０は、溝部１１１ａ、１１１ｂとディスク部材１１０の通孔１１３が互いに一列に整列されるように積層される。
【００５５】
その後、第１のクランプ１３０の溝結合部１３２ａ、１３２ｂと通孔結合部１３６は、ディスク部材１１０の溝部１１１ａ、１１１ｂ及び通孔１１３にそれぞれ挿入される。
【００５６】
その後、第２のクランプ１６０の結合ロッド１６５は、第１のクランプ１３０の結合ロッド収容部１３７に挿入され、第２のクランプ１６０のねじ穴１６２ａ、１６２ｂは、第１のクランプ１３０のねじ結合部１３４ａ、１３４ｂに一列に整列される。その後、ねじ１７１ａ、１７１ｂをねじ穴１６２ａ、１６２ｂに挿入して締めることによって、ディスクアセンブリ１００の組み立てが完了する。
【００５７】
その一方、ねじ１７１ａ、１７１ｂを緩めることによって、第１のクランプ１３０、複数のディスク部材１１０及び第２のクランプ１６０の分離が迅速に実現される。
【００５８】
このように本発明の一実施例に係るディスクアセンブリ１００は、簡便な過程を経て組み立て及び分解が可能であり、ユーザは、ディスクアセンブリ１００を容易に分解して持ち運ぶことができる。また、ディスクアセンブリ１００の製品効率も向上するようになる。
【００５９】
さらに、このような結合構造は、締結部の数が最少化された構造であって、空気の流れが円滑になるという効果がある。
【００６０】
以上説明したディスクアセンブリ１００の組み立て過程は、第１のクランプ１３０にディスク部材１１０が一枚ずつ挿入された後、第２のクランプ１６０がディスク部材１１０及び第１のクランプ１３０に結合される方式で行うこともでき、ディスクアセンブリ１１０の組み立てを簡便にする方式であればいずれの方式であってもよい。
【００６１】
以下、本発明の一実施例に係る加湿装置の動作過程を説明する。
【００６２】
ユーザが水で充填された水タンク４５を本体１０に装着すれば、水タンク４５に保存された水が水槽部６０に供給される。水槽部６０に適正な量の水が充填されれば、水の供給は停止し、加湿が行われながら水槽６０に水が補充される。
【００６３】
ユーザがコントロールパネル３３のボタン操作によって加湿装置を作動させれば、ディスクモーター２５が回転し、これに連結されたディスクアセンブリ１００は、回転しながら水槽部６０に収容された水に浸される。
【００６４】
ディスクアセンブリ１００の回転と同時に送風装置８０が作動するので、加湿装置１の外部空気は、本体１０の後面を通して加湿装置１に流入し、フィルタ４９によって不純物がろ過される。その後、ディスクアセンブリ１００の半径方向に空気の流れを形成するようになる。
【００６５】
このとき、空気は、ディスク部材１１０から水分を吸収し、湿気を保つようになり、加湿空気は本体１０の上部に向かうようになる。
【００６６】
本体１０の上部では殺菌装置２９が動作するので、この殺菌装置２９によって有害な細菌が殺菌され、加湿空気は、グリル部５０を介して本体１０の外部に排出される。このような過程で室内空気の加湿が実現される。このとき、ヒーター部２９は、空気の加熱が必要である場合に作動するようになる。
【００６７】
以上、特定の実施例を図示して説明したが、本発明が上述した実施例に限定されることはなく、発明の属する技術分野で通常の知識を有する者であれば、以下の特許請求の範囲に記載した発明の技術的思想の要旨を逸脱しない範囲で多様に変更実施することが可能であろう。
【符号の説明】
【００６８】
１    加湿装置
１０    本体
２０    フレーム部
３０    前面カバー
４０    後面カバー
６０    水槽部
８０    送風装置
１００    ディスクアセンブリ
１１０    ディスク部材
１３０    第１のクランプ
１６０    第２のクランプ
【図１】
2011047636.tif 000003
【図２】
2011047636.tif 000004
【図３】
2011047636.tif 000005
【図４】
2011047636.tif 000006
【図５】
2011047636.tif 000007
【図６Ａ】
2011047636.tif 000008
【図６Ｂ】
2011047636.tif 000009
【図７Ａ】
2011047636.tif 000010
【図７Ｂ】
2011047636.tif 000011
【図８Ａ】
2011047636.tif 000012
【図８Ｂ】
2011047636.tif 000013